(57)【要約】【課題】  電磁操作機構を備えた開閉装置において電磁石と連結された連結機構をハンドルで動かし永久磁石の発生する吸引力より開放ばねや接圧ばねの荷重が大きくなる点まで可動鉄心を移動して開放動作させた場合，動作を抑制する構造がないため，開放バネや接圧バネの発生荷重によって遮断動作となる。接点を開極位置と閉極位置の中間位置で維持してメンテナンスする場合，この遮断動作よりも低速で手動開閉操作をおこない，接点を開極位置と閉極位置の中間位置に把持できるようにする必要があった。【解決手段】  可動鉄心の可動範囲の全範囲で荷重が作用する開放バネに対して，開放バネの伸張方向の荷重を受けるようにボルト棒を配置して，開放バネの伸張方向の荷重をボルト棒で受ける。ボルト棒を回転してネジ構造による移動によって，開放バネを圧縮，伸張する。【選択図】          図３
2011216245.tif 000002
【特許請求の範囲】
【請求項１】
固定鉄心と、前記固定鉄心に対して進退する可動鉄心と、前記固定鉄心に磁極の一方の面が対向し磁極の他方の面が前記可動鉄心に対向して前記固定鉄心に固定された永久磁石と、前記可動鉄心に連結された軸と、前記軸を巻回するように配置した電磁コイルとを備えた電磁石と、前記電磁石の前記軸に連結した連結棒と、前記連結棒が回動可能なようにピンで連結された支持点と、前記連結棒に連結した開放バネとを備え、前記連結棒に連結した前記支持点と前記開放ばねの前記連結棒との連結点との距離が、前記支持点と前記電磁石の前記軸の前記連結棒との連結点との距離より大きいことを特徴とする電磁操作機構。
【請求項２】
前記開放バネの荷重を受ける開放バネ受けと、前記開放バネの軸線を中心とした円周上に前記開放バネ受けに設けられた穴を設けた請求項１に記載の電磁操作機構。
【請求項３】
前記開放ばねの前記連結棒の前記連結点の位置に駆動棒を配置した手動開閉装置を取り付けることができる前記請求項１または請求項２に記載の電磁操作機構。
【請求項４】
前記手動開閉装置の前記駆動棒は、一方の端部が前記開放ばねの荷重を受ける前記開放バネ受け、もしくは前記開放バネ受けと接続した部品と前記開放バネの伸張方向の荷重を受ける位置に配置され、前記駆動棒の外周にはおねじ部が設けられ、前記駆動棒の前記おねじ部を案内するめねじを設けたガイドを設けた請求項１ないし請求項３のいずれか一項に記載の電磁操作機構に取り付ける電磁操作機構の手動開閉装置。
【請求項５】
前記駆動棒に回転自在に取り付けられた掛け金装置、前記掛け金装置から延長した腕部、該腕部の先端に取り付けられた爪を備えた電磁操作機構の前記開放バネ受けの前記穴に前記掛け金装置の前記爪が貫通する請求項４に記載の電磁操作機構の手動開閉装置。
【請求項６】
固定鉄心と、前記固定鉄心に対して進退する可動鉄心と、前記固定鉄心に磁極の一方の面が対向し磁極の他方の面が可動鉄心に対向して前記固定鉄心に固定された永久磁石と、前記可動鉄心に連結された軸と、前記軸を巻回するように配置した電磁コイルとを備えた電磁石と、前記軸と連結した開放バネとを備え、前記軸の位置に駆動棒を配置した手動開閉装置を取り付けることができ、前記手動開閉装置の前記駆動棒は、一方の端部が前記開放ばねの荷重を受ける開放バネ受け、もしくは開放バネ受けと接続した部品と開放バネの伸張方向の荷重を受ける位置に配置され、前記駆動棒の外周にはおねじ部が設けられ、前記駆動棒の前記おねじ部を案内するめねじを設けたガイドを設けた手動開閉装置を取り付ける電磁操作機構。
【発明の詳細な説明】
【技術分野】
【０００１】
この発明は、電力の送配電および受電設備に用いられる開閉装置に適用される電磁コイルへの通電により可動鉄心を固定鉄心に対して変位させる電磁操作機構および電磁操作機構を手動で開閉する手動開閉装置に関するものである。
【背景技術】
【０００２】
電磁操作機構の駆動力によって接点を開閉する開閉装置において、閉極時に開放バネや接圧バネが蓄勢されており、永久磁石の発生する吸引力により電磁石の可動鉄心が固定鉄心に吸着されている。本開閉装置を手動で操作する場合は、電磁石と連結された連結機構をハンドルで動かし、永久磁石の発生する吸引力より開放バネや接圧バネの荷重が大きくなる点まで可動鉄心を移動させて、遮断動作をさせる。（例えば、特許文献１参照）。
【先行技術文献】
【特許文献】
【０００３】
【特許文献１】特許第３７６３０９４号
【発明の概要】
【発明が解決しようとする課題】
【０００４】
電磁石と連結された連結機構をハンドルで動かし永久磁石の発生する吸引力より開放バネや接圧バネの荷重が大きくなる点まで可動鉄心を移動して開放動作させた場合、動作を抑制する構造がないため、開放バネや接圧バネの発生荷重によって遮断動作となる。接点を開極位置と閉極位置の中間位置で維持してメンテナンスする場合、この遮断動作よりも低速で手動開閉操作をおこない、接点を開極位置と閉極位置の中間位置に把持できるようにする必要があった。
【０００５】
本発明は、前記のような問題点を解決することを課題としてなされたものであり、低速開閉時の手動開閉装置に作用する荷重を低減できる電磁操作機構と本電磁操作機構を用いて手動で低速開閉を可能とする手動開閉装置を得ることを目的とする。
【課題を解決するための手段】
【０００６】
電磁石の駆動軸に連結した連結棒と、連結棒が回動可能なようにピンで連結した支持点と、連結棒に連結した開放バネを、連結棒に連結した支持点と開放バネの連結棒との連結点との距離が、支持点と電磁石の駆動軸の連結棒との連結点との距離より大きい配置とする。
【０００７】
可動鉄心の可動範囲の全範囲で荷重が作用する開放バネに対して、開放バネの伸張方向の荷重を受けるようにボルト棒を配置して、開放バネの伸張方向の荷重をボルト棒で受ける。ボルト棒を回転してネジ構造による移動によって、開放バネを圧縮、伸張する。
【発明の効果】
【０００８】
連結棒に連結した支持点と開放バネの連結棒との連結点との距離が、支持点と電磁石の駆動軸の連結棒との連結点との距離より大きい配置となっているため、開放バネ部で必要となる荷重が小さくなり、開放バネ部に配置する手動開閉装置の負荷が低減される。
【０００９】
手動開閉装置のボルト棒の端部が開放バネ軸と接しており、開放バネおよび接圧バネで発生する荷重をネジ構造で受けているため、遮断動作を防止し、低速での可動接点および可動鉄心の移動が可能となり、接点を開極位置と閉極位置の中間位置に把持できる。
【図面の簡単な説明】
【００１０】
【図１】この発明の実施の形態１による開閉装置の閉極状態を示す断面図
【図２】図１の開閉装置の接点の開極状態を示す断面図
【図３】開閉装置の閉極状態において、手動開閉装置を取り付けた電磁操作機構の断面図
【図４】開閉装置の開極状態において、手動開閉装置を取り付けた電磁操作機構の断面図
【図５】手動開閉装置の掛け金機構を図３の上方向からみた図
【図６】開放バネ受けを図３の上方向からみた図
【図７】掛け金機構の爪を開放バネ受けの穴に貫通させる位置関係を示す図
【図８】掛け金機構の爪が開放バネ受けを引っ掛けた状態を示す図
【図９】この発明の実施の形態２による開閉装置の閉極状態において、手動開閉装置を取り付けた電磁操作機構の断面図
【図１０】この発明の実施の形態２による開閉装置の開極状態において、手動開閉装置を取り付けた電磁操作機構の断面図
【図１１】この発明の実施の形態３による開閉装置の閉極状態において、手動開閉装置を取り付けた電磁操作機構の断面図
【発明を実施するための形態】
【００１１】
実施の形態１．
図１は、この発明の実施の形態１による開閉装置を示す断面図である。また、図２は、図１の開閉装置の接点が開いている状態（開極状態）を示す断面図である。なお、図１は、開閉装置１の接点が閉じている状態（閉極状態）を示す図である。図において、開閉装置１は、固定接点２と、固定接点２に接離可能な可動接点３と、固定接点２及び可動接点３を収容する真空バルブ４と、可動接点３を変位させる開放バネ９と電磁石１０と、電磁石１０と可動接点３との間に配置された絶縁ロッド１４と接圧装置１５とを有している。ここで、電磁操作機構５は電磁石１０と開放バネ９と連結棒４５を含んだ、接圧装置１５から可動接点３までを駆動する機構をさす。 
【００１２】
可動接点３は、開閉装置１の軸線方向（以下、単に「軸線方向」という）への変位により固定接点２に接離する。開閉装置１の接点は、可動接点３が固定接点２に接することにより閉じ、可動接点３が固定接点２から離れることにより開く。 
【００１３】
真空バルブ４内は、固定接点２及び可動接点３間の消弧能力の向上のために真空に保たれている。可動接点３の固定接点２に対する接離は、真空バルブ４内で行われる。可動接点３が固定接点２から離れているときは、真空バルブ４内が真空であることから負圧となり、可動接点３が固定接点２に対して閉じようとする力が働く。 
【００１４】
電磁石１０は、板状の支持部材７に支持されている。また、電磁石１０は、可動接点３と絶縁ロッド１４、接圧装置１５を介して接続した駆動軸８を備えている。
【００１５】
駆動軸８は、支持部材７を軸線方向へ変位可能に貫通している。また、駆動軸８は、透磁率の低い材料（低磁性材料）（例えばステンレス等）により構成されている。
電磁石１０は、固定鉄心１９と、駆動軸８が固定され、固定鉄心１９に対して軸線方向へ変位可能な可動鉄心２０とが設けられている。
【００１６】
開放バネ９は、開放バネ受け４０と支持部材７の間で圧縮されており、軸線方向に弾性反発力を発生している。開放バネ受け４０に接続した開放バネ軸４１は、支持部材７に取り付けられた支点４３に取り付けられ駆動軸８と接続した連結棒４５に、支点４３からの距離が駆動軸８より遠くなる位置に接続している。駆動軸８は、連結棒４５に作用する開放バネ９の弾性反発力により、可動接点３が固定接点２から離れる方向へ付勢される。
【００１７】
駆動軸８は、可動接点３が固定接点２に接する方向（閉極方向）、及び可動接点３が固定接点２から離れる方向（開放方向）のいずれかへ、電磁石１０が制御されることにより選択的に変位される。
【００１８】
電磁石１０は、可動接点３に対して絶縁ロッド１４により絶縁されている。 
【００１９】
接圧装置１５は、バネ枠１６と、駆動軸８の先端部に固定され、バネ枠１６内に配置された外れ止め板１７と、バネ枠１６と外れ止め板１７との間に縮めて接続された接圧バネ１８とを有している。 
【００２０】
駆動軸８は、外れ止め板１７とともに、バネ枠１６に対して軸線方向へ変位可能になっている。接圧バネ１８は、可動接点３から離れる方向に駆動軸８を付勢している。可動接点３から離れる方向への駆動軸８の変位は、外れ止め板１７のバネ枠１６に対する係合により規制される。 
【００２１】
可動鉄心２０は、固定鉄心１９から離れた後退位置（図２）と、後退位置よりも固定鉄心１９に近い前進位置（図１）との間を変位可能になっている。後退位置は、駆動軸８に設けられたストッパ９０によって位置が決まる。可動接点３は、可動鉄心２０が後退位置にあるときに固定接点２から離れ、可動鉄心２０が前進位置にあるときに固定接点２に押し付けられる。
【００２２】
可動接点３が固定接点２から離れているとき（図２）には、駆動軸８が軸線方向で変位すると接圧装置１５と絶縁ロッド１４と可動接点３が駆動軸８とともに変位される。このときには、外れ止め板１７が接圧バネ１８の荷重によりバネ枠１６に係合している。また、可動接点３が固定接点２に接しているとき（図１）には、駆動軸８は、接圧バネ１８の荷重に逆らって、バネ枠１６に対して閉極方向へさらに変位している。これにより、接圧バネ１８がさらに縮められ、接圧バネ１８の弾性反発力によって可動接点３が固定接点２に押し付けられる。 
【００２３】
電磁石１０は、固定鉄心１９と、駆動軸８が固定され、固定鉄心１９に対して軸線方向へ変位可能な可動鉄心２０と、固定鉄心１９に設けられ、通電により磁界を発生する電磁コイル２１と、固定鉄心１９に設けられた永久磁石２２とを有している。
【００２４】
固定鉄心１９には、駆動軸８が軸線方向へ変位可能に貫通している。この例では、軸受け５０が固定鉄心１９に設けられ、駆動軸８が軸受け５０を貫通している。固定鉄心１９の一部は、軸線方向への投影面内において、可動鉄心２０の領域に重なっている。 
【００２５】
永久磁石２２は、固定鉄心１９に設けられており、可動鉄心２０と対向している。各永久磁石２２は、Ｎ極及びＳ極（一対の磁極）を有している。これにより、永久磁石２２は、可動鉄心２０を前進位置に保持する保持用磁束を発生している。この例では、各永久磁石２２のＮ極が可動鉄心２０に対向し、各永久磁石２２のＳ極が固定鉄心１９に固定されている。 
【００２６】
電磁コイル２１は、軸線方向への投影面内において、可動鉄心２０の一部を囲んでいる。これにより、電磁コイル２１は、通電されると、固定鉄心１９及び可動鉄心２０を通る磁束を発生する。また、電磁コイル２１が発生する磁束の方向は、電磁コイル２１への通電方向の切り替えにより、反転可能になっている。なお、電磁コイル２１の中心軸線は、開閉装置１の軸線とほぼ一致している。 
【００２７】
固定鉄心１９と可動鉄心２０は、磁性材料により構成された複数の薄板が軸線方向に垂直な方向へ積層された積層体である。
【００２８】
なお、固定鉄心１９と可動鉄心２０の材料としては、透磁率の高い磁性材料であればよく、例えば鋼材、電磁軟鉄、珪素鋼、フェライト及びパーマロイ等が挙げられる。また、可動鉄心２０は、例えば鉄粉を圧縮して固めた圧粉鉄心としてもよい。 
【００２９】
次に、動作について説明する。図２に示すように可動接点３が固定接点２から離れた開放状態であるときには、可動鉄心２０は開放バネ９の荷重により後退位置に変位されている。電磁コイル２１への通電により、可動鉄心２０が第１固定鉄心部２６に吸引され、開放バネ９の荷重に逆らって、後退位置から前進位置に向かって変位される。これにより、可動接点３は、固定接点２に向かって変位される。 
【００３０】
この後、可動接点３が固定接点２に接すると、可動接点３の変位は停止される。しかし、可動鉄心２０はさらに変位されて前進位置に達する。これにより、接圧バネ１８が縮められ、可動接点３が固定接点２に押し付けられて閉極動作が完了する（図１）。 
【００３１】
可動鉄心２０が前進位置に達すると、永久磁石２２の保持用磁束によって可動鉄心２０が固定鉄心１９に吸引保持され、可動鉄心２０が前進位置に保持される。 
【００３２】
可動鉄心２０の前進位置での保持を解除するときには、閉極動作時と逆方向へ電磁コイル２１への通電が行われる。電磁コイル２１への通電が行われると、可動鉄心２０と固定鉄心１９の間の吸引力が全体として低下し、開放バネ９及び接圧バネ１８の各荷重によって、可動鉄心２０の前進位置から後退位置への変位が開始される。このとき、可動接点３は、固定接点２に押し付けられたままとなっている。 
【００３３】
この後、可動鉄心２０が後退位置に向かってさらに変位されると、外れ止め板１７がバネ枠１６に係合される。この後も、可動鉄心２０が後退位置に向かって変位されることにより、可動接点３は固定接点２から離れる。開放バネ９の荷重は、真空バルブ４の可動接点３が固定接点２に対して閉じようとする力よりも大きく。この後、可動鉄心２０がさらに変位されて後退位置に達する。これにより、開放動作が完了する（図２）。 
【００３４】
このように、開極状態（図２）においては、真空バルブ４が真空容器となっていることから負圧により可動接点３が固定接点２に対して閉じようとする閉極方向に作用する荷重より、開放バネ９の荷重が大きく、安定して開極状態を維持できる。また、可動部の摩擦力と開放バネ９の荷重の総和が真空バルブ４の真空容器の負圧により可動接点３が固定接点２に対して閉じようとする閉極方向に作用する荷重より大きくなっていても、安定して開極状態を維持できる。
【００３５】
一方、閉極状態（図１）においては、永久磁石２２が可動鉄心２０を前進位置に保持する保持用磁束を発生している。永久磁石２２の磁束により発生する閉極方向への荷重が可動鉄心２０に作用しており、開放バネ９および接圧バネ１８の荷重の総和より大きいため閉極状態を維持できる。また、吸引力と可動部の摩擦力の総和が、開放バネ９および接圧バネ１８の荷重の総和以上となっても、安定して閉極状態を維持できる。
【００３６】
開放バネ９の荷重は可動鉄心２０の可動範囲の全範囲で作用している。
【００３７】
図３は、この発明の実施の形態１による手動開閉装置６０を適用した場合の断面図である。また、図４は、図２の開閉装置の接点が開いている状態（開極状態）のときの構成を示す断面図である。なお、図３は、図１の開閉装置１の接点が開いている状態（開放状態）のときの構成を示す断面図である。
【００３８】
図において、電磁石１０と開放バネ９を取り付けた支持部材７に接続されたロッド６２があり、ロッド６２にフレーム６４が固定されている。本フレーム６４に手動開閉装置６０の取付部品６６が締結されている。取付部品６６にはガイド６８が固定されており、ガイド６８にはめねじ部７０がある。本めねじ部７０には、駆動棒としてのボルト棒７２のおねじ部７４を配置してあり、ボルト棒７２が回転することで、ボルト棒７２が開放バネ９の圧縮伸張方向に移動できる。本ボルト棒７２にはボルト棒７２を手動で回転できるように、ハンドル７６が備えられている。ボルト棒７２の一方の端部７８は開放バネ軸４１と接するように配置される。開放バネ９の伸張する荷重は、ボルト棒７２のおねじ部７４とめねじ部７０のねじ構造で荷重を受ける構造となっている。ボルト棒７２には、ボルト棒７２の回転方向に弱い摩擦力で結合された回転自在な掛け金機構８０が備えられている。掛け金機構８０はボルト棒７２とのスライド部８２から腕８４が伸びており、開放バネ受け４０に設けられた穴８６を、ボルト棒７２の端部７８が開放バネ軸４１と接した状態において、貫通する構造となっている。掛け金機構８０の腕部８４の先端には、開放バネ受け４０を引っ掛ける爪８８が設けられている。
【００３９】
図５はこの発明の実施の形態１によるボルト棒７２と掛け金機構８０を図３の上面から見た図である。図６はこの発明の実施の形態１による開放バネ受け４０と開放バネ軸４１を図３の上面から見た図である。
【００４０】
図７，図８はこの発明の実施の形態１の動作を説明するための、手動開閉装置６０の要部である掛け金機構８０と開放バネ受け４０の要部を図３の上面から見た図である。
【００４１】
次に手動開閉動作について説明する。開放動作では、最初に開閉装置１が閉極状態（図１）にあり、永久磁石２２が可動鉄心２０を前進位置に保持する保持用磁束を発生している。
【００４２】
永久磁石２２の磁束により発生する閉極方向への荷重が可動鉄心２０に作用しており、開放バネ９および接圧バネ１８の荷重の総和より大きいため閉極状態を維持している。閉極状態から手動開極を行うため、手動開閉装置６０を取り付ける（図３）。
【００４３】
手動開閉装置６０の取付け時、ボルト棒７２の端部７８と開放バネ軸４１を接触させる時には、掛け金機構８０の腕８４の先端の爪８８を配置した部分は開放バネ受け４０の穴８６を通過させる（図３，図７）。
【００４４】
掛け金機構８０はボルト棒７２に弱い摩擦力で結合して回転自在に配置されている。手動開放のため、開放バネ９が伸張する方向、ボルト棒７２が移動するようにボルト棒７２をハンドル７６で回転（本実施の形態１では右ネジ，図７，図８における反時計回り方向）させると、掛け金機構８０はボルト棒７２と弱い摩擦力で結合しているため、図８に示すように、掛け金機構８０の爪８８が開放バネ受け４０に引っ掛かる状態となる。続けて、ボルト棒７２を回転すると、開放バネ受け４０が、掛け金機構８０に引っ掛けられた状態でボルト棒７２と共に開放バネ９が伸張する方向に移動する。開放バネ受け４０の移動とともに、開放バネ軸４１、連結棒４５を介して連結された可動鉄心２０も開極方向に移動を始める。
【００４５】
可動鉄心２０が所定の距離移動すると、永久磁石２２が発生している可動鉄心２０を閉極方向へ移動させる荷重より、開放バネ９および接圧バネ１８の荷重の総和が大きくなる。開放バネ受け４０は、掛け金機構８０に開放バネ９が伸張する方向に引かれている状態から、開放バネ受け４０に締結された開放バネ軸４１を介して、端部７８からボルト棒７２を押す状態となる。
【００４６】
ボルト棒７２は、開放バネ９および接圧バネ１８で発生する荷重をおねじ部７４とめねじ部７０のネジ構造で受ける。さらにボルト棒７２を移動させることで、低速で開放バネ受け４０が移動し、可動鉄心２０の可動範囲の全範囲で荷重を作用している開放バネ９が低速で伸張し、可動鉄心２０が低速で移動して、駆動軸８に取り付けられたストッパ９０で決まる開極位置まで移動して、低速で開放動作を完了する。
【００４７】
閉極動作では、最初に開閉装置１が開極状態（図２）にあり、開放バネ９が伸張しており、駆動軸８に取り付けられたストッパ９０で決まる開極位置で開極状態を維持している。開極状態から手動閉極を行うため、手動開極動作と同じ容量で、手動開閉装置６０を取り付ける（図４）。
【００４８】
掛け金機構８０はボルト棒７２に弱い摩擦力で結合して回転自在に配置されている。手動閉極のため、開放バネ９を圧縮する方向にボルト棒７２が移動するようにボルト棒７２をハンドル７６で回転させる。
【００４９】
ボルト棒７２の端部７８が、開放ばね軸４１を開放バネ９を圧縮する方向に押す。開放バネ軸４１を押すことで開放バネ受け４０を介して開放バネ９を圧縮する。また、連結棒４５を介して連結された可動鉄心２０も閉極方向に移動する。
【００５０】
ボルト棒７２は、開放バネ９および接圧バネ１８で発生する荷重をおねじ部７４とめねじ部７０のネジ構造で受けているため、低速で移動可能であり、開放バネ９を低速で圧縮し、可動鉄心２０を低速で閉極操作でき、可動鉄心２０が固定鉄心１９に接触する閉極位置まで移動して、低速で閉極動作を完了する。
【００５１】
このような電磁操作機構および電磁操作機構の手動開閉装置にあっては、開極状態、閉極状態の保持は可動鉄心２０の移動範囲における永久磁石２２の吸引力と開放バネ９および接圧バネ１８の荷重のバランスによって成立しているため、低速で移動する場合は、永久磁石２２の吸引力と開放バネ９および接圧バネ１８の荷重を考慮して移動可能にすればよく、手動開閉装置は直線的な移動構造だけの単純な構造となる。開放バネ９が自然開放しないように保持しながら機械的保持構造をはずすという複雑な動作を手動開閉装置６０に実現させる必要が無く、引張動作のみで開放動作を実現できるため、単純な構造で低速開閉操作を実現できる。
【００５２】
また、開放バネ９は、支持部材７に取り付けられた支点４３に取り付けられ駆動軸８と接続した連結棒４５に、支点４３からの距離が駆動軸８より遠くなる位置に接続している。このため、開放バネ９部はてこの原理より、駆動軸８部より発生荷重が小さくなり、移動距離が大きくなる。開放バネ９部の発生荷重が小さいため、手動開閉装置６０に必要な強度を小さくでき、また、移動距離が大きくなることで、低速の移動および移動中の位置精度を高くできる。
【００５３】
また、ボルト棒７２の端部７８が開放バネ軸４１と接しており、開放バネ９および接圧バネ１８で発生する荷重をおねじ部７４とめねじ部７０のネジ構造で受けているため、可動鉄心２０の可動範囲の全範囲で作用している開放バネ９の荷重、可動鉄心２０の可動範囲の一部で作用している接圧バネ１８の荷重を受けることができ、低速で移動が可能となる。
【００５４】
実施の形態２
図９は、この発明の実施の形態２による開閉装置の閉極状態において、手動開閉装置を取り付けた電磁操作機構の断面図、図１０は開閉装置の開極状態において、手動開閉装置を取り付けた電磁操作機構の断面図である。手動開閉装置６０は取付け板９５に外側に歯車部９８を設けたガイド９６が回転自在に取り付けられている。ガイド９６はめねじ部９７を設けている。ガイド９６の歯車部９８を噛合ってガイド９６を回転させる歯車１００がハンドル１０５に取り付けられている。
【００５５】
このような手動開閉装置６０にあっては、ボルト棒７２を移動するためにガイド９６が回転するため、ハンドル１０５は回転のみでボルト棒７２の移動方向に移動しない。このため、電磁操作機構部のハンドル１０５取付け側の省スペース化を実現できる。
【００５６】
実施の形態３
図１１は、この発明の実施の形態３による開閉装置の閉極状態において、手動開閉装置を取り付けた電磁操作機構の断面図である。開放バネ９が開放バネ受け４０を介して駆動軸８に直接接続している。
【００５７】
このような電磁操作機構および電磁操作機構の手動開閉装置にあっては、開極状態、閉極状態の保持は可動鉄心２０の移動範囲における永久磁石２２の吸引力と開放バネ９および接圧バネ１８の荷重のバランスによって成立しているため、低速で移動する場合は、永久磁石２２の吸引力と開放バネ９および接圧バネ１８の荷重を考慮して移動可能にすればよく、手動開閉装置は直線的な移動構造だけの単純な構造となる。開放バネ９が自然開放しないように保持しながら機械的保持構造をはずすという複雑な動作を手動開閉装置６０に実現させる必要が無く、引張動作のみで開放動作を実現できため、単純な構造で低速開閉操作を実現できる。
【００５８】
また、ボルト棒７２の端部７８が開放バネ軸４１と接しており、開放バネ９および接圧バネ１８で発生する荷重をおねじ部７４とめねじ部７０のネジ構造で受けているため、可動鉄心２０の可動範囲の全範囲で作用している開放バネ９の荷重、可動鉄心２０の可動範囲の一部で作用している接圧バネ１８の荷重を受けることができ、低速で移動が可能となる。
【符号の説明】
【００５９】
１  開閉装置
５  電磁操作機構
８  駆動軸
９  開放バネ
１０  電磁石
１９  固定鉄心
２０  可動鉄心
２１  電磁コイル
２２  永久磁石
４０  開放バネ受け
４１  開放バネ軸
４３  支点
４５  連結棒
７０  めねじ部
７２  ボルト棒
７４  おねじ部
７８  端部
８０  掛け金機構
８２  スライド部
８４  腕
８６  穴
８８  爪
【図１】
2011216245.tif 000003
【図２】
2011216245.tif 000004
【図３】
2011216245.tif 000005
【図４】
2011216245.tif 000006
【図５】
2011216245.tif 000007
【図６】
2011216245.tif 000008
【図７】
2011216245.tif 000009
【図８】
2011216245.tif 000010
【図９】
2011216245.tif 000011
【図１０】
2011216245.tif 000012
【図１１】
2011216245.tif 000013